(57)【要約】【課題】複数のＬＥＤ素子によって商品等の取出口内を自動販売機の幅方向に亘って照明することができ、しかも製造コストの低減を図ることのできる自動販売機の照明装置を提供する。【解決手段】基板２０の実装面２０ａが商品取出口４０の底面４０ｄに向かう方向に対して略平行に配置されるとともに、実装面２０ａが商品取出口４０の幅方向に延在するように配置され、また、基板２０は発光面１０ａが実装面２０ａに対して略垂直に配置されるように複数のＬＥＤ素子１０を実装可能であり、実装された各ＬＥＤ素子１０は発光面１０ａが互いに異なる方向を臨むように配置されるので、基板２０の実装面２０ａに沿った方向に広範囲に亘って各ＬＥＤ素子１０の光が照射され、各ＬＥＤ素子１０によって商品取出口４０内を幅方向に亘って照明することができる。【選択図】図１
2007257150.tif 000002
【特許請求の範囲】
【請求項１】
所定の発光面から光を照射可能なＬＥＤ素子と、ＬＥＤ素子を所定の実装面に実装可能な基板とを備え、自動販売機内の所定の照明範囲を照明する自動販売機の照明装置において、
前記基板を複数のＬＥＤ素子を実装可能に形成し、
基板の実装面が照明範囲に向かう方向に対して略平行に配置されるとともに、実装された各ＬＥＤ素子の発光面が実装面に対して略垂直に配置され、各ＬＥＤ素子の発光面が互いに異なる方向を臨むように構成した
ことを特徴とする自動販売機の照明装置。
【請求項２】
前記基板を、各ＬＥＤ素子の発光面の臨む方向を所定の角度範囲内で任意に設定可能に形成した
ことを特徴とする請求項１記載の自動販売機の照明装置。
【請求項３】
前記基板に前記所定の角度範囲を表示する表示部を設けた
ことを特徴とする請求項２記載の自動販売機の照明装置。
【請求項４】
前記基板及び各ＬＥＤ素子を収容するとともに、締結部材によって自動販売機に取付可能に形成された透光性材料から成る取付部材を備えた
ことを特徴とする請求項１、２または３記載の自動販売機の照明装置。
【発明の詳細な説明】
【技術分野】
【０００１】
本発明は、例えば自動販売機の商品取出口内や硬貨取出口内を照明するための自動販売機の照明装置に関するものである。
【背景技術】
【０００２】
従来、この種の照明装置としては、自動販売機の商品取出口内の上面に設けられ、商品取出口内を自動販売機の幅方向に亘って照明する電球や蛍光灯から成るものが知られている（例えば、特許文献１または特許文献２参照。）。
【特許文献１】特開平１１−１６０３３号公報
【特許文献２】特開平８−１６７０６６号公報
【発明の開示】
【発明が解決しようとする課題】
【０００３】
ところで、近年では省エネルギー化を図るため、ＬＥＤ素子を基板に実装して電球や蛍光灯の代わりに照明として用いるようになってきている。しかしながら、ＬＥＤ素子は電球や蛍光灯に比べて照射する光の指向性が強く、単一のＬＥＤ素子では商品取出口内を自動販売機の幅方向に亘って照明することができないので、複数のＬＥＤ素子を互いに自動販売機の幅方向に間隔をおいて配置するとともに、各ＬＥＤ素子ごとに前記基板を設ける必要があり、ＬＥＤ素子の数に応じて基板を設ける分だけ製造コストが高くつくという問題点があった。
【０００４】
本発明は前記問題点に鑑みてなされたものであり、その目的とするところは、複数のＬＥＤ素子によって商品等の取出口内を自動販売機の幅方向に亘って照明することができ、しかも製造コストの低減を図ることのできる自動販売機の照明装置を提供することにある。
【課題を解決するための手段】
【０００５】
本発明は前記目的を達成するために、所定の発光面から光を照射可能なＬＥＤ素子と、ＬＥＤ素子を所定の実装面に実装可能な基板とを備え、自動販売機内の所定の照明範囲を照明する自動販売機の照明装置において、前記基板を複数のＬＥＤ素子を実装可能に形成し、基板の実装面が照明範囲に向かう方向に対して略平行に配置されるとともに、実装された各ＬＥＤ素子の発光面が実装面に対して略垂直に配置され、各ＬＥＤ素子の発光面が互いに異なる方向を臨むように構成している。
【０００６】
これにより、基板は複数のＬＥＤ素子を実装可能であり、実装された各ＬＥＤ素子は発光面が実装面に対して略垂直に配置されるとともに、各ＬＥＤ素子の発光面が互いに異なる方向を臨むように構成され、また、基板の実装面は照明範囲に向かう方向に対して略平行に配置されることから、基板に複数のＬＥＤ素子を実装することにより、基板の実装面に沿った方向に広範囲に亘って各ＬＥＤ素子の光が照射される。また、基板は複数のＬＥＤ素子を実装可能であることから、各ＬＥＤ素子ごとに基板を設ける必要がなく、基板に実装するＬＥＤ素子の数によって照射範囲を調整することができる。
【発明の効果】
【０００７】
本発明によれば、基板に複数のＬＥＤ素子を実装することにより、基板の実装面に沿った方向に広範囲に亘って各ＬＥＤ素子の光を照射することができるので、複数のＬＥＤ素子によって商品等の取出口内を自動販売機の幅方向に亘って照明することができる。また、各ＬＥＤ素子ごとに基板を設ける必要がないので、基板の数を少なくできる分だけ製造コストの低減を図ることができる。さらに、基板に実装するＬＥＤ素子の数によって照射範囲を調整することができるので、照明する取出口の幅寸法に応じてＬＥＤ素子の数を増減することにより、基板を共通部品化することができ、製造コストの低減を図る上で極めて有利である。
【発明を実施するための最良の形態】
【０００８】
図１乃至図７は本発明の一実施形態を示すもので、図１は照明装置の斜視図、図２は照明装置の平面図、図３は図２におけるＡ−Ａ線断面図、図４は照明装置の側面図、図５は照明装置を取付ける自動販売機の斜視図、図６は照明装置の取付方法を示す図、図７は商品取出口の正面断面図である。
【０００９】
この自動販売機の照明装置は、所定の発光面１０ａから光を照射可能な３つのＬＥＤ素子１０と、各ＬＥＤ素子１０を所定の実装面に実装可能な基板２０と、基板２０を自動販売機１の商品取出口４０に取付けるための取付部材３０とを備えている。
【００１０】
各ＬＥＤ素子１０は略直方体形状であり、６面のうち１つの面に発光面１０ａが形成されている。また、各ＬＥＤ素子１０の長さ方向の一端及び他端にはそれぞれ電極が設けられている。
【００１１】
基板２０は銅箔がプリントされた樹脂材料から成り、板状に形成されている。基板２０の実装面２０ａには抵抗Ｒや入力端子ＩＰ等が実装され、所定の電流を各ＬＥＤ素子１０に供給するようになっている。また、基板２０の実装面２０ａの一端側は各ＬＥＤ素子１０を実装可能である。
【００１２】
取付部材３０は、基板２０を上方から覆う第１部材３１と、基板２０を下方から覆う第２部材３２とを有する（図１乃至図４参照）。
【００１３】
第１部材３１は透明な樹脂材料から成り、下面を開口した略直方体形状の箱状に形成さるとともに、第１部材３１の下端にはフランジ部３１ａが形成されている。フランジ部３１ａは４つの側面の下端から水平方向外側に向かって延びている。また、第１部材３１の図１における背面側には取付部３１ｂが設けられ、取付部３１ｂは第１部材３１の背面の下端から背面側に向かって延びている。取付部３１ｂには取付孔３１ｃが設けられ、第１部材３１の上面には矩形の孔３１ｄが設けられている。
【００１４】
第２部材３２は透明な樹脂材料から成り、上面を開口した略直方体形状の箱状に形成されている。また、第１部材３１に下方から挿入されることにより、第１部材３１と連結するようになっている。
【００１５】
基板２０は第１部材３１に図示しない接着剤によって固定されている。この時、図１において実装面２０ａが上下方向に延在するように基板２０が第１部材３１に接着される。また、各ＬＥＤ素子１０が実装される一端側が下側に位置するように基板２０が第１部材３１に接着され、入力端子ＩＰが孔３１ｄから突出する。基板２０が第１部材３１に接着された後、第２部材３２が第１部材３１に下方から連結する。これにより、基板２０及び各ＬＥＤ素子１０が取付部材３０に収容され、塵埃等による短絡の発生が防止される。
【００１６】
取付部材３０は自動販売機１の商品取出口４０に上方から取付けられる。商品取出口４０の上面には取付部材３０を取付けるための矩形の孔４０ａが設けられ、取付部材３０を孔４０ａに挿入すると、取付部材３０の下端側が商品取出口４０内に突出する（図７参照）。また、第１部材３１のフランジ部３１ａが商品取出口４０の上面に当接し、取付部材３０が商品取出口４０に対して位置決めされる。商品取出口４０の上面にはネジ孔４０ｂが設けられ、取付部材３０は締結部材としてのボルト４０ｃによって商品取出口４０に固定される。取付部材３０が商品取出口４０に固定されると、基板２０の実装面２０ａが商品取出口４０の底面４０ｄに向かう方向に対して略平行に配置されるとともに、商品取出口４０の幅方向に延在するように配置される。ここで、商品取出口４０の幅方向は自動販売機１の幅方向と一致しており、底面４０ｄは請求項に記載した照明範囲に相当する。また、商品取出口４０の背面側には商品搬出口２が設けられ、商品搬出口２は冷却または加温された飲料を搬出するようになっている。
【００１７】
基板２０上には３つのＬＥＤ素子１０が実装されているが、図３に示すように、各ＬＥＤ素子１０のうち１つは発光面１０ａが下方を臨むように実装され、他の１つは発光面１０ａが商品取出口４０の幅方向一方を臨むように傾斜して実装され、さらに他の１つは発光面１０ａが商品取出口４０の幅方向他方を臨むように傾斜して実装されている。即ち、各ＬＥＤ素子１０の発光面１０ａは互いに異なる方向を臨むように実装されている。また、各ＬＥＤ素子１０の発光面１０ａは実装面２０ａに対して略垂直に配置され、各ＬＥＤ素子１０は商品取出口４０の幅方向に並ぶように配置されている。
【００１８】
以上のように構成された自動販売機の照明装置は、入力端子ＩＰに図示しない外部端子が接続され、各ＬＥＤ素子１０に所定の電流が供給されると、各ＬＥＤ素子１０の発光面１０ａから光が照射される。ここで、基板２０の実装面２０ａは商品取出口４０の底面４０ｄに向かう方向に対して略平行に配置されるとともに、商品取出口４０の幅方向に延在するように配置され、また、基板２０には発光面１０ａが実装面２０ａに対して略垂直に配置されるように複数のＬＥＤ素子１０が実装され、各ＬＥＤ素子１０の発光面１０ａは互いに異なる方向を臨むように配置されていることから、基板２０の実装面２０ａに沿った方向に広範囲に亘って各ＬＥＤ素子１０の光が照射される。
【００１９】
このように、本実施形態によれば、基板２０の実装面２０ａが商品取出口４０の底面４０ｄに向かう方向に対して略平行に配置されるとともに、実装面２０ａが商品取出口４０の幅方向に延在するように配置され、また、基板２０は発光面１０ａが実装面２０ａに対して略垂直に配置されるように複数のＬＥＤ素子１０を実装可能であり、実装された各ＬＥＤ素子１０は発光面１０ａが互いに異なる方向を臨むように配置されるので、基板２０の実装面２０ａに沿った方向に広範囲に亘って各ＬＥＤ素子１０の光が照射され、各ＬＥＤ素子１０によって商品取出口４０内を幅方向に亘って照明することができる。
【００２０】
また、基板２０は複数のＬＥＤ素子１０を実装可能であり、各ＬＥＤ素子１０ごとに基板２０を設ける必要がないので、基板２０の数を少なくできる分だけ製造コストの低減を図ることができる。
【００２１】
さらに、基板２０に実装するＬＥＤ素子１０の数によって照射範囲を調整することもできる。例えば、図８に示すように、商品取出口４０よりも小さい硬貨取出口５０内を照射する場合は、基板２０に１つのＬＥＤ素子１０を発光面１０ａが下方を臨むように実装することにより、硬貨取出口５０内を十分に照明することができる。即ち、基板２０に実装するＬＥＤ素子１０の数によって光を照射する照射範囲を調整することができるので、基板２０を共通部品化することができ、製造コストの低減を図る上で極めて有利である。
【００２２】
また、取付部材３０は透光性を有する透明な樹脂材料から成り、基板２０及び各ＬＥＤ素子１０を収容するとともに、ボルト４０ｃによって自動販売機１の商品取出口４０に取付可能に形成されているので、基板２０上の回路が塵埃等により短絡を生ずることを防止できる。また、ボルト４０ｃが螺合可能な取付孔を設けるだけで、照明装置を取付けることができるので、照明装置を自動販売機１内の何れの位置でも容易に取付けることができる。
【００２３】
また、図９に示すように、各ＬＥＤ素子１０の発光面１０ａの臨む方向を実装面２０ａに沿う方向に角度範囲α内で任意に設定できるように、基板２０を形成することも可能である。この場合、角度範囲α内であれば各ＬＥＤ素子１０に確実に電力が供給されるように、基板２０の実装面２０ａが形成されている。これにより、商品取出口４０の幅寸法に応じて光の照射範囲を微調整することが可能となり、商品取出口４０内を幅方向に亘って万遍なく照明する上で有利である。さらに、基板２０に角度範囲αを表示する表示部としての枠線２０ｂを設けることも可能である。これにより、各ＬＥＤ素子１０を確実に角度範囲α内に実装することができる。また、枠線２０ｂに対する各ＬＥＤ素子１０の位置を目視することにより、各ＬＥＤ素子１０の実装状態を容易に確認することができる。
【００２４】
尚、本実施形態では、基板２０にＬＥＤ素子１０を３つ実装するようにしたものを示したが、ＬＥＤ素子１０を４つ以上実装することも可能である。
【００２５】
また、本実施形態では、商品取出口４０内に１つの照明装置を設けるものを示したが、商品取出口４０内に複数の照明装置を設けることも可能である。
【００２６】
尚、本実施形態では、基板２０及び各ＬＥＤ素子１０を取付部材３０内に収容するようにしたものを示したが、取付部材３０によって基板２０を収容しない場合でも、基板２０の実装面２０ａを商品取出口４０の底面４０ｄに向かう方向に対して略平行に配置することができれば、基板２０の実装面２０ａに沿った方向に広範囲に亘って各ＬＥＤ素子１０の光を照射することができる。
【００２７】
尚、本実施形態では、各ＬＥＤ素子１０によって商品取出口４０や硬貨取出口５０を照明するようにしたものを示したが、例えば商品コラムの近傍に照明装置を取付けることにより、自動販売機１に商品を充填する際の作業性を向上することができる。
【００２８】
また、本実施形態では、各ＬＥＤ素子１０が常に点灯し続けているものを示したが、各ＬＥＤ素子１０を商品選択ボタン６０の操作に基づき発光させることも可能である。この場合、商品選択ボタン６０は周知のマイクロコンピュータから成る制御部７０に接続され、制御部７０は入力端子ＩＰへの電流の流通を切替えるスイッチ８０に接続されるとともに、入金センサ９０に接続されている。また、各ＬＥＤ素子１０は制御部７０によって下記制御をされるまで発光しない。
【００２９】
制御部７０の動作を図１１に示すフローチャートに沿って説明する。入金センサ９０によって入金が確認された後（Ｓ１）、商品選択ボタン６０によって商品が選択されると（Ｓ２）、スイッチ８０によって入力端子ＩＰに所定の時間だけ電流が流される（Ｓ３）。これにより、入力端子ＩＰに電流が流される間だけ各ＬＥＤ素子１０が発光することから、各ＬＥＤ素子１０を無用に発光させることがなく、省エネルギー化を図る上で極めて有利である。
【図面の簡単な説明】
【００３０】
【図１】本発明の一実施形態を示す照明装置の斜視図
【図２】照明装置の斜視図
【図３】図２におけるＡ−Ａ線断面図
【図４】照明装置の側面図
【図５】照明装置を取付ける自動販売機の斜視図
【図６】照明装置の取付方法を示す図
【図７】商品取出口の正面断面図
【図８】硬貨取出口の正面断面図
【図９】基板の変形例を示す照明装置の正面断面図
【図１０】照明装置のブロック図
【図１１】制御部の動作を示すフローチャート
【符号の説明】
【００３１】
１…自動販売機、１０…ＬＥＤ素子、１０ａ…発光面、２０…基板、２０ａ…実装面、２０ｂ…枠線、３０…取付部材、３１…第１部材、３１ａ…フランジ部、３１ｂ…取付部、３１ｃ…取付孔、３１ｄ…孔、３２…第２部材、４０…商品取出口、４０ａ…孔、４０ｂ…ネジ孔、４０ｃ…ボルト、４０ｄ…底面、５０…硬貨取出口、６０…商品選択ボタン、７０…制御部、８０…スイッチ、９０…入金センサ、Ｒ…抵抗、ＩＰ…入力端子。
【図１】
2007257150.tif 000003
【図２】
2007257150.tif 000004
【図３】
2007257150.tif 000005
【図４】
2007257150.tif 000006
【図５】
2007257150.tif 000007
【図６】
2007257150.tif 000008
【図７】
2007257150.tif 000009
【図８】
2007257150.tif 000010
【図９】
2007257150.tif 000011
【図１０】
2007257150.tif 000012
【図１１】
2007257150.tif 000013